(57)【要約】【課題】ペットを入れる内部空間を掃除しやすいようにしたペット用サークル及びこのペット用サークルに好適に備えられる扉ユニットを提供する。【解決手段】扉ユニット３は、開口面１５を観音開き式に開閉する一対の開き戸３１，３２と、当該一対の開き戸３１，３２のうちいずれか一方の開き戸３１内で開閉する引き戸３３とを備えている。ペット用サークルは、正面と背面と左右の側面とによって囲まれる内部空間２内に、隣り合う居住スペース２１とトイレスペース２２とを設けたペット用サークルであって、正面又は前記内部空間２の上面は、扉ユニット３を備えている。扉ユニット３は、枠状の正面フレーム１１に備えられる。【選択図】図１
2019170252.tif 000002
【特許請求の範囲】
【請求項１】
開口面を観音開き式に開閉する一対の開き戸と、当該一対の開き戸のうちいずれか一方の開き戸内で開閉する引き戸とを備えている、
扉ユニット。
【請求項２】
正面と背面と左右の側面とによって囲まれる内部空間内に、隣り合う居住スペースとトイレスペースとを設けたペット用サークルであって、
前記正面又は前記内部空間の上面は、請求項１に記載の扉ユニットを備えている、
ペット用サークル。
【請求項３】
前記正面又は前記上面は、前記開き戸が前記内部空間内に入り込まないように、閉扉した開き戸が当たるストッパを有するフレームを備えている請求項２に記載のペット用サークル。
【請求項４】
前記各開き戸は、前記フレームに当たったり外れたりするフック付きのスライド部材を有する開き戸側ロック手段を備えている請求項３に記載のペット用サークル。
【請求項５】
前記引き戸は、前記一方の開き戸に脱着するフック付きのスライド部材を有する引き戸側ロック手段を備えている請求項２乃至４のうちいずれか１項に記載のペット用サークル。
【請求項６】
前記内部空間を前記居住スペースと前記トイレスペースとに仕切る仕切パネルを備えている請求項２乃至５のうちいずれか１項に記載のペット用サークル。
【請求項７】
前記仕切パネルは、開閉する仕切扉を備えている請求項６に記載のペット用サークル。
【発明の詳細な説明】
【技術分野】
【０００１】
本発明は、犬や猫などのペットを入れる内部空間を備えたペット用サークル及びこのペット用サークルに好適に備えられる扉ユニットに関し、特に、内部空間内を居住スペースとトイレスペースとに仕切ったペット用サークル及び扉ユニットに関する。
【背景技術】
【０００２】
犬や猫などのペットを屋内のリビングルームなどで飼えるようにしたペット用サークルが種々提供されている。例えば、特許文献１には、広めの居住スペースと狭めのトイレスペースとが隣り合うように設けられたペット用サークルが記載されている。
【０００３】
このペット用サークルは、内部空間を設ける周壁パネルと、この内部空間を居住スペースとトイレスペースとに区画する仕切パネルと、内部空間の上面を覆う天面パネルとを備えている。居住スペースの床面は、タオル地やカーペット地とされている。トイレスペースには、プラスチック製や金属製のトレーが設置されている。なお、ペット用サークルは、一般的に正面のパネルに扉を取り付けたものとされている。
【先行技術文献】
【特許文献】
【０００４】
【特許文献１】特開２００３−２３９０４号公報
【発明の概要】
【発明が解決しようとする課題】
【０００５】
特許文献１に記載されたペット用サークルは、トイレスペースに設置されたトレーが引き出されることにより、トレーを掃除することができる。そして、このペット用サークルは、内部空間が天面パネルによって覆われている。したがって、このペット用サークルは、トレーだけでなく、トイレスペースペース内及び居住スペース内を掃除しにくいものになっている。
【０００６】
本発明は、ペットを入れる内部空間を掃除しやすいようにしたペット用サークル及びこのペット用サークルに好適に備えられる扉ユニットを提供することを目的とする。
【課題を解決するための手段】
【０００７】
本発明の一態様の扉ユニットは、
開口面を観音開き式に開閉する一対の開き戸と、当該一対の開き戸のうちいずれか一方の開き戸内で開閉する引き戸とを備えている。
【０００８】
本発明の一態様のペット用サークルは、
正面と背面と左右の側面とによって囲まれる内部空間内に、隣り合う居住スペースとトイレスペースとを設けたペット用サークルであって、
前記正面又は前記内部空間の上面は、本発明の扉ユニットを備えている。
【０００９】
本発明の一態様のペット用サークルにおいて、
前記正面又は前記上面は、前記開き戸が前記内部空間内に入り込まないように、閉扉した開き戸が当たるストッパを有するフレームを備えていてもよい。
この場合、前記各開き戸は、前記フレームに当たったり外れたりするフック付きのスライド部材を有する開き戸側ロック手段を備えていてもよい。
【００１０】
本発明の一態様のペット用サークルにおいて、
前記引き戸は、前記一方の開き戸に脱着するフック付きのスライド部材を有する引き戸側ロック手段を備えていてもよい。
【００１１】
本発明の一態様のペット用サークルにおいて、
前記内部空間を前記居住スペースと前記トイレスペースとに仕切る仕切パネルを備えていてもよい。
この場合、前記仕切パネルは、開閉する仕切扉を備えていてもよい。
【発明の効果】
【００１２】
本発明によれば、ペットを入れる内部空間を掃除しやすいようにしたペット用サークル及びこのペット用サークルに好適に備えられる扉ユニットを提供することができる。
【図面の簡単な説明】
【００１３】
【図１】本発明に係るペット用サークルの一実施形態を示す斜視図である。
【図２】本発明に係るペット用サークルの正面に備えられた扉ユニットの一実施形態を示す斜視図であって、一方の開き戸が開扉し、他方の開き戸及び引き戸が閉扉している状態を示す斜視図である。
【図３】本発明に係るペット用サークルの正面に備えられた扉ユニットの正面の一実施形態を示す斜視図であって、両方の開き戸が閉扉し、引き戸が開扉している状態を示す分解斜視図である。
【図４】本発明に係るペット用サークルの正面に備えられた扉ユニットの正面の一実施形態を示す斜視図であって、両方の開き戸が開扉し、引き戸が閉扉している状態を示す斜視図である。
【図５】本発明に係るペット用サークルの他実施形態を示す斜視図である。
【図６】本発明に係るペット用サークルの他実施形態を示す斜視図であって、一方の開き戸が開扉し、他方の開き戸及び引き戸が閉扉している状態を示す斜視図である。
【発明を実施するための形態】
【００１４】
本発明に係るペット用サークル及び扉ユニットの一実施形態について図１乃至図４を参照して説明する。図１は、本発明に係るペット用サークルの一実施形態を示す斜視図である。図２乃至図４は、本発明に係るペット用サークルの正面に備えられた扉ユニットの一実施形態を示す斜視図である。
【００１５】
図１に示すように、ペット用サークルは、正面と背面と左右の側面とを有する周壁パネル１によって囲まれる内部空間２を備えている。内部空間２内は、広めの居住スペース２１と狭めのトイレスペース２２とが隣り合うように設けられている。図示した内部空間２は、正面から見て右側に居住スペース２１が配置され、左側にトイレスペース２２が配置されているが、正面から見て右側にトイレスペース２２が配置され、左側に居住スペース２１が配置されてもよい。周壁パネル１は、正面フレーム１１と、背面パネル１２と、左右の側面パネル１３，１４とを備えている。
【００１６】
図２乃至図４に示すように、正面フレーム１１は、開口面１５を設けるような枠状とされている。正面フレーム１１は、起立姿勢及び水平姿勢の２本一組の線材（番線）５と、水平姿勢の上下の線材５からそれぞれ突出した連結軸５ａとを備えている。
【００１７】
図１に示すように、背面パネル１２、右の側面パネル１３及び左側の側面パネル１４は、起立姿勢で並べられた多数本の線材５と、水平姿勢で上中下の位置に並べられた線材５とによって檻状とされている。背面パネル１２も水平姿勢の上下の線材５から上下に突出した連結軸（図示せず）を備えている。
【００１８】
正面フレーム１１には、扉ユニット３が取り付けられている。扉ユニット３は、開口面１５を観音開き式に開閉する一対の開き戸３１，３２と、当該一対の開き戸３１，３２のうちいずれか一方の開き戸３１内で開閉する引き戸３３とを備えている。各開き戸３１，３２及び引き戸３３は、枠状の線材５と上下の線材５に架け渡される起立姿勢の線材５とを備えている。
【００１９】
一方の開き戸（以下、「大きな開き戸」ともいう。）３１は、居住スペース２１の前面を開閉する。図３に示すように、大きな開き戸３１には、居住スペース２１内への出入口３４が設けられている。この出入口３４は、内部空間２内の中央側に設けられる。この出入口３４は、引き戸３３によって開閉する。この出入口３４と引き戸３３は、ほぼ同じ大きさで、大きな開き戸３１の半分程度の大きさとされている。他方の開き戸（以下、「小さな開き戸」ともいう。）３２は、トイレスペース２２の前面を開閉する。小さな開き戸３２と引き戸３３は、隣り合って配置される。
【００２０】
各開き戸３１，３２の水平姿勢の線材５の外側端部は、正面フレーム１１の両端の起立姿勢の線材５を巻くように曲げ返されている。各開き戸３１，３２は、正面フレーム１１の両側の起立姿勢の線材５を軸にして開閉する。閉扉した各開き戸３１，３２は、正面フレーム１１の下側の水平姿勢の線材５がストッパ１１ｓとなって、居住スペース２１内やトイレスペース２２内に入り込むことがないようにされている。
【００２１】
各開き戸３１，３２は、先端側に開き戸側ロック手段３１１，３２１を備えている。開き戸側ロック手段３１１，３２１は、スライド部材３１１ａ，３２１ａと、操作部３１１ｂ，３２１ｂとを備えている。スライド部材は、起立姿勢の２本一組の線材５で構成され、上端に鉤状のフック部（採番せず）を備えている。フック部は、スライド部材の上端を折り返して成形され、スライド部材が昇降することで正面フレーム１１の上側の線材５に着脱する。スライド部材の下端部は、正面フレーム１１の下側のストッパ１１ｓに当たったり外れたりする当たり部とされる。
【００２２】
操作部は、手が掛けられる把持部やスライド部材を下向きに付勢するバネを備えている。飼主である使用者が操作部の把持部を持ち上げる状態とすることで、スライド部材のフック部が上側の線材５から外れ、下側ストッパ部が下側のストッパ１１ｓに当たらないようにすることができる。換言すれば、使用者が操作部を操作しない限り、スライド部材が正面フレーム１１に当たる状態となって、開き戸３１，３２を開扉することができない。
【００２３】
図３に示すように、引き戸３３は、大きな開き戸３１の線材５に沿ってスライドし、居住スペース２１内への出入口３４を開閉する。大きな開き戸３１の上縁付近と下縁付近には、水平姿勢のガイド線材５が架設されている。引き戸３３の両側の起立姿勢の線材５の上端と下端とには、ガイド線材５を挿通する筒状のスライダ（採番せず）が備えている。スライダがガイド線材５を外嵌する状態となって移動し、引き戸３３がスライドし、居住スペース２１の出入口を開閉する。
【００２４】
引き戸３３は、引き戸側ロック手段３３１を備えている。引き戸側ロック手段３３１は、開き戸側ロック手段３１１，３２１と同様、スライド部材３３１ａと、操作部３３１ｂとを備えている。スライド部材は、起立姿勢の２本一組の線材５で構成され、上端に鉤状のフック部（採番せず）を備えている。フック部は、スライド部材の上端を折り返して成形され、スライド部材３３１ａが昇降することで正面フレーム１１の上側の線材５に着脱する。正面フレーム１１の上側の線材５には、引き戸３３の鉤状部が引っ掛かる掛止部（採番せず）が設けられている。
【００２５】
ペット用サークルは、周壁パネル１や扉ユニット３の他に、トレー４と、仕切パネル６と、上枠体７と、下枠体８と、桟９とを備えている。
【００２６】
トレー４は、広めの居住スペース２１内に置かれる大きめの居住側トレー部４１と、狭めのトイレスペース２２内に置かれる小さめのトイレ側トレー部４２とに区画されている。居住側トレー部４１上には、図示しない食器が置かれたり、マットが敷かれたりすることもある。両トレー部４１，４２の外周は、立ち上がった周壁部（採番せず）で囲まれている。トレー４は、例えばＡＢＳ樹脂のような樹脂や金属などで成形される。
【００２７】
トレー４は、居住側トレー部４１の周壁部であって、トイレ側トレー部４２部に隣り合う周壁部に近接して突出部（採番せず）が設けられている。この居住側トレー部４１の周壁部と突出部との間に隙間が設けられる。この居住側トレー部４１の側壁部と突出部との間に仕切パネル６の下端部が嵌め込まれる。
【００２８】
周壁パネル１は、上下から上枠体７と下枠体８に挟まれ、保形され、線材５の先端部が露出しないようにされる。上枠体７と下枠体８には、正面フレーム１１や背面パネル１２に備えられた連結軸５ａが挿し込まれる小孔が形成されている。上枠体７の上面には、桟９の両端部を嵌め込む切欠き（図示せず）が形成されている。桟９は、上枠体７の切欠きに着脱自在とされている。下枠体８は、トレー４の外周を囲む状態となる。
【００２９】
仕切パネル６は、内部空間２を居住スペース２１とトイレスペース２２とに区画するように正面フレーム１１と背面パネル１２との間に挟まれる。仕切パネル６の上縁は、桟９に固定されている。仕切パネル６の下縁は、居住側トレー部４１上に載る状態とされる。
【００３０】
仕切パネル６は、仕切部６１と、仕切出入口（採番せず）と、仕切扉６３とを備えている。仕切部６１と仕切出入口と仕切扉６３とはほぼ同じ大きさとされている。仕切扉６３が仕切出入口を塞いで閉扉した状態から仕切扉６３が仕切部６１に重なる状態にスライドすると、仕切出入口が開けられる。
【００３１】
仕切扉６３が仕切出入口を閉扉すると、ペットが居住スペース２１とトイレスペース２２との間でペットが行き来することができない。仕切扉６３が仕切出入口を開扉すると、居住スペース２１とトイレスペース２２との間でペットが行き来することができる。仕切部６１も仕切扉６３も起立姿勢と水平姿勢の複数本の線材５とによって檻状とされている。仕切パネル６は、仕切扉６３のスライドをガイドする線材５を備えている。
【００３２】
ここで、ペット用サークルの使用態様について説明する。このペット用サークルは、屋内の例えばリビングルームに設置される。このペット用サークルのトレー４は、居住スペース２１内に居住側トレー部４１が置かれ、トイレスペース２２内にトイレ側トレー部４２が置かれる。このペット用サークルは、天面が開口しているため、居住スペース２１内の居住側トレー部４１上に天面から食器などを出し入れすることができる。
【００３３】
このペット用サークルは、各開き戸３１，３２、引き戸３３、仕切扉６３を閉扉して、ロックすることができる。各開き戸３１，３２は、開き戸側ロック手段３１１，３２１のスライド部材３１１ａ，３２１ａの上端部に備えられたフック部が正面フレーム１１の上側の線材５に引っ掛かり、スライド部材の下端部が正面フレーム１１の下側のストッパ１１ｓに当たることで、開扉しない。引き戸３３は、引き戸側ロック手段３３１のスライド部材３３１ａのフック部が正面フレーム１１の上側の掛止部に引っ掛かっていることで、開扉しない。
【００３４】
このペット用サークルは、仕切パネル６によって居住スペース２１とトイレスペース２２が仕切られることで、リビングルーム内で飼われているペットに対してトイレの躾を行うことができる。
【００３５】
トイレの躾を行う場合、飼主である使用者は、大きな開き戸３１に備えられた引き戸３３をスライドさせて開扉することで、ペットを居住スペース２１内に入れる。引き戸３３は、引き戸側ロック手段３３１の操作部３３１ｂが操作されることで、フック部が正面フレーム１１の上側の線材５から外れ、開扉することができる。ペットが居住スペース２１内に入れられると、引き戸３３を閉扉する。閉扉された引き戸３３は、引き戸側ロック手段３３１によって、勝手に開扉しない。
【００３６】
居住スペース２１内に入れられたペットが排泄しそうな様子であると使用者が察知すると、仕切パネル６の仕切扉６３を開扉し、ペットをトイレスペース２２内に誘導する。ペットがトイレスペース２２内に入った後、仕切パネル６の仕切扉６３を閉扉する。ペットが排泄すると、使用者は、ペットを褒め、仕切パネル６の仕切扉６３を開扉し、ペットを居住スペース２１内に戻す。あるいは、使用者は、小さな開き戸３２を開扉し、トイレスペース２２内のペットをリビングルーム内に誘導する。
【００３７】
ペットに対するトイレの躾けが進むと、リビングルーム内にいるペットは、リビングルーム内からトイレスペース２２内に入ろうとする。このようなペットを見た使用者は、小さな開き戸３２を開扉する。ペットは、リビングルーム内からトイレスペース２２内に直接入る。仕切パネル６の仕切扉６３は、閉扉されている。
【００３８】
あるいは、ペットが居住スペース２１内に入っている場合は、居住スペース２１内からトイレスペース２２内に入ろうとする。このようなペットを見た使用者は、仕切パネル６の仕切扉６３を開扉する。ペットがトイレスペース２２内に入った後、仕切パネル６の仕切扉６３を閉扉する。排泄後、ペットは、小さな開き戸３２が開扉されることで、リビングルーム内に戻り、あるいは、仕切パネル６の仕切扉６３を開扉することで、居住スペース２１内に入るようにすることができる。
【００３９】
ペットに対してトイレの躾ができると、仕切パネル６の仕切扉６３は、開扉し続けてもよい。使用者は、就寝時や外出時などにおいてペットを居住側トレー部４１内に入れる。仕切パネル６の仕切扉６３を開扉した状態とすることで、ペットは自らトイレスペース２２内で排泄し、その後、居住スペース２１内に戻る。
【００４０】
トイレスペース２２内のトレー４が汚れると、使用者は、各開き戸３１，３２を開扉する。各開き戸３１，３２が開扉されることで、正面フレーム１１の開口面１５が全開する。したがって、使用者は、身を内部空間２内に入れてトレー４を掃除したり、敷かれたマットを交換したりしやすくなる。
【００４１】
ただし、居住側トレー部４１には、仕切パネル６の下縁が載っている。したがって、トレー４を内部空間２から取り出すには、まず仕切パネル６を取り外す。そして、使用者は、各開き戸３１，３２を開扉することで、居住側トレー部４１とトイレ側トレー部４２とが一体のトレー４を内部空間２内から取り出して、丸洗いすることができる。
【００４２】
両トレー部４２，４１が取り出された内部空間２は、床が露出する。使用者は、床を掃除することもできる。両トレー部４２，４１は、掃除された後、内部空間２内に戻される。その後、各開き戸３１，３２が閉扉される。
【００４３】
ペットに対するトイレの躾ができると、仕切パネル６の仕切扉６３は、開けっ放しにしてもよい。飼主が外出したり、就寝したりするとき以外は、正面フレーム１１の小さな開き戸３２も開けっ放しにしてもよい。
【００４４】
以上、本発明の一実施形態について説明したが、本発明は、上述の実施形態に限定されるものではなく、本発明の目的を達成できる範囲での変形改良等（変形実施形態）は本発明に含まれるものである。
【００４５】
例えば、図５及び図６に示すような変形実施形態における扉ユニット３は、ペット用サークルに設けられた内部空間２の上面に備えられる。図５は、本発明に係るペット用サークルの変形実施形態を示す斜視図である。図６は、本発明に係るペット用サークルの変形実施形態を示す斜視図であって、一方の開き戸３１が開扉し、他方の開き戸３２及び引き戸３３が閉扉している状態を示す斜視図である。
【００４６】
変形実施形態の内部空間２は、前記実施形態と同様の周壁パネル１内に設けられる。周壁パネル１は、上下枠体７，８に挟まれる。内部空間２は、仕切パネル６によって大きな居住スペース２１と小さなトイレスペース２２とに仕切られている。図示した内部空間２は、正面から見て右側に居住スペース２１が配置され、左側にトイレスペース２２が配置されているが、正面から見て右側にトイレスペース２２が配置され、左側に居住スペース２１が配置されてもよい。仕切パネル６の上縁は、上枠体に着脱可能な桟９に固定される。仕切パネル６は、周壁パネル１内から抜き挿し可能とされている。
【００４７】
変形実施形態の扉ユニット３は、内部空間２の上面に設けられた開口面１５に備えられる。扉ユニット３は、居住スペース２１側とトイレスペース２２側とで観音開き式に開閉する一対の開き戸３１，３２と、居住スペース２１側の開き戸３１内で開閉する引き戸３３とを備えている。一対の開き戸３１，３２は、前記実施形態と同様、大きな開き戸３１と小さな開き戸３２とを備えている。大きな開き戸３１には、引き戸３３によって開閉する出入口３４が設けられている。出入口３４は、内部空間２内の中央側に設けられる。引き戸３３は、小さな開き戸３２と隣り合って配置される。
【００４８】
したがって、図６に示すように、居住スペース２１側の大きな開き戸３１は、居住スペース２１側の右側の側面パネル１３の上縁を回転軸として開閉する。トイレスペース２２側の小さな開き戸３２は、トイレスペース２２側の左側の側面パネル１４の上縁を回転軸として開閉する。ペット用サークルは、通常、背面パネル１２をリビングルームの壁面に当たるように設置される。
【００４９】
各開き戸３１，３２が仮に背面パネル１２の上縁を回転軸に開閉すると、最大限、壁に当たる真上向きまで開扉し、使用者が開き戸３１，３２を支える必要がある。しかし、本変形実施形態の開き戸３１，３２は、側面パネル１３，１４の上縁を回転軸として傾斜するように開扉する。したがって、開き戸３１，３２は、使用者が支えることなく開扉することができる。
【００５０】
このペット用サークルは、仕切パネル６を内部空間２内から取り外すこともできる。したがって、使用者は、内部空間２内の居住側トレー部４１を容易に掃除することができる。仕切パネル６の仕切が外され、各開き戸３１，３２が開扉されることで、内部空間２内のトレー４を取り出すことができる。
【００５１】
このペット用サークルの正面は、前記実施形態の正面フレーム１１に替えて、正面パネル１６が備えられる。正面パネル１６は、居住スペース２１内に出入りできるようにする引き戸３５と、トイレスペース２２内に出入りできるようにする開き戸３６とを備え、居住スペース２１を開閉する大きな開き戸を備えていない。したがって、この扉ユニット３は、既存のペットサークルに扉ユニット３を後付することが可能となる。
【００５２】
図示しないさらに異なる変形実施形態のペット用サークルは、扉ユニット３の大きな開き戸３１に設けられる出入口３４が内部空間２の中央側でなく、側面パネル１３側に設けられる。この場合は、引き戸３３は、小さな開き戸３２と線対称の位置に配置される。したがって、引き戸３３と小さな開き戸３２とは、離れて配置される。さらに、大きな開き戸３１が図示したサイズよりも大きくされると、出入口３４は、大きな開き戸３１の半分以下の大きさとしてもよい。
【００５３】
図示しないさらに異なる変形実施形態のペット用サークルは、内部空間２内を居住スペース２１とトイレスペース２２とに仕切る仕切パネル６を備えないものとする。特に、仕切パネル６は、ペットを躾けるために有用であることから、躾けられたペットを入れるペット用サークルとして使用する場合は、仕切パネル６は不要である。
【００５４】
図示しないさらに異なる変形実施形態のペット用サークルは、居住スペース２１がトイレスペース２２よりも大きく、トイレスペース２２が居住スペース２１よりも小さくされるだけでなく、同じ大きさとしてもよい。さらに異なる実施形態は、居住側トレー部４１とトイレ側トレー部４２とを別体成形したものとする。
【００５５】
さらに、ペット用サークルに備えられる周壁パネル１や扉ユニット３は、複数の線材５を格子状に組んだ檻状とすることなく、いずれかをプラスチック製のボードとしたり、多数の孔を開けたボードとしたりしてもよい。
【００５６】
さらに、前記実施形態では、扉ユニット３がペット用サークルに好適に備えられるとした。しかし、扉ユニット３は、ペット用サークル以外に適用することができる。
【００５７】
以上まとめると、本発明が適用される扉ユニット３及びペット用サークルは、次のような構成を取れば足り、各種各様な実施形態をとることができる。
【００５８】
すなわち、本発明に係る扉ユニット３は、
開口面１５を観音開き式に開閉する一対の開き戸３１，３２と、当該一対の開き戸３１，３２のうちいずれか一方の開き戸３１内で開閉する引き戸３３とを備えている。
【００５９】
この扉ユニット３によれば、一対の開き戸３１，３２を全開することで、開口面１５を最大限に開口し、一対の開き戸３１，３２を開扉して引き戸３３を開扉することで、開き戸３１，３２を開扉するためのスペースを設けることなく、最小限の範囲で開口面１５を開口させることができる。
【００６０】
本発明に係るペット用サークルは、
正面と背面と左右の側面とによって囲まれる内部空間２内に、隣り合う居住スペース２１とトイレスペース２２とを設けたペット用サークルであって、
前記正面又は前記内部空間２の上面は、本発明に係る扉ユニット３を備えている。
【００６１】
このペット用サークルによれば、引き戸３３を開閉することで、ペットを内部空間２内に出し入れし、一対の開き戸３１，３２を全開することで、内部空間２内の掃除などを容易に行うことができる。
【００６２】
本発明に係るペット用サークルにおいて、前記正面又は前記上面は、前記開き戸３１，３２が前記内部空間２内に入り込まないように、閉扉した開き戸３１，３２が当たるストッパを有するフレームを備えている。
このペット用サークルによれば、閉扉した開き戸３１，３２が当たるストッパを有するフレームを備えていることにより、開き戸３１，３２が内部空間２内に入り込まないようにすることができる。
【００６３】
本発明に係るペット用サークルにおいて、前記各開き戸３１，３２は、前記フレームに当たったり外れたりするフック付きのスライド部材を有する開き戸側ロック手段３１１，３２１を備えている。
このペット用サークルによれば、開き戸側ロック手段３１１，３２１を備えることにより、開き戸３１，３２を通常、閉扉した状態とし、必要なときだけ開扉するようにできる。
【００６４】
本発明に係るペット用サークルにおいて、前記引き戸３３は、前記一方の開き戸３１に脱着するフック付きのスライド部材を有する引き戸側ロック手段３３１を備えている。
このペット用サークルによれば、引き戸側ロック手段３３１を備えることにより、引き戸３３を通常、閉扉した状態とし、必要なときだけ開扉することができる。
【００６５】
本発明に係るペット用サークルにおいて、前記内部空間２を前記居住スペース２１と前記トイレスペース２２とに仕切る仕切パネル６を備えている。
このペット用サークルによれば、居住スペース２１とトイレスペース２２とが仕切パネル６によって仕切られることで、ペットが居住スペース２１とトイレスペース２２とを勝手に行き来できないようにすることができる。
【００６６】
この場合、前記仕切パネル６は、開閉する仕切扉６３を備えていることが好ましい。
このペット用サークルによれば、引き戸３３や他方の開き戸３２を開閉することなく、ペットを居住スペース２１とトイレスペース２２との間で行き来できるようにすることができる。
【符号の説明】
【００６７】
１…周壁パネル
１１…正面フレーム
１２…背面パネル
１３…側面パネル
１４…側面パネル
１５…開口面
２…内部空間
２１…居住スペース
２２…トイレスペース
３…扉ユニット
３１…一方（大きな）開き戸
３１１…開き戸側ロック手段
３２…他方（小さな）開き戸
３２１…開き戸側ロック手段
３３…引き戸
３３１…引き戸側ロック手段
４…トレーＢ
５…線材
６…仕切パネル
６３…仕切扉
７…上枠体
８…下枠体
９…桟
【図１】
2019170252.tif 000003
【図２】
2019170252.tif 000004
【図３】
2019170252.tif 000005
【図４】
2019170252.tif 000006
【図５】
2019170252.tif 000007
【図６】
2019170252.tif 000008